(57)【要約】【課題】  本来の光ディスクのデジタルデータの記録処理を安定して行なうと同時に、十分に濃淡のある画像パターンの記録を行なう光ディスク記録装置及び記録方法を提供する。【解決手段】  光ディスクに対してレーザ光を照射する照射部（ＰＵ）と、与えられるラベルデータに応じて画像情報を生成する生成部（１２）と、光ディスクにデジタルデータのみを記録する際は第１記録レーザパワー（Ｐｗ０）により、光ディスクにデジタルデータ及び生成した画像情報に応じた第１濃度の画像を描画する際は第１記録レーザパワー（Ｐｗ０）よりも大きな値の第２記録レーザパワー（Ｐｗ０＋α）により、光ディスクにデジタルデータ及び第２濃度の画像情報に応じた画像を描画する際は第１記録レーザパワー（Ｐｗ０）よりも小さな値の第３記録レーザパワー（Ｐｗ０−β）により、照射部からのレーザ光の発光量を制御する制御部（１０−１）をもつ光ディスク記録装置。【選択図】図１
2009026404.tif 000002
【特許請求の範囲】
【請求項１】
光ディスクに対してレーザ光を照射する照射部と、
与えられるラベルデータに応じて画像情報を生成する生成部と、
前記光ディスクにデジタルデータのみを記録する際は第１記録レーザパワーにより、前記光ディスクにデジタルデータ及び前記生成部が生成した前記画像情報に応じた第１濃度の画像を記録する際は前記第１記録レーザパワーよりも大きな値の第２記録レーザパワーにより、前記光ディスクにデジタルデータ及び前記第１濃度とは異なる第２濃度の前記画像情報に応じた画像を記録する際は前記第１記録レーザパワーよりも小さな値の第３記録レーザパワーにより、前記照射部からのレーザ光の発光量を制御する制御部と、
を具備することを特徴とする光ディスク記録装置。
【請求項２】
前記第１濃度は前記第２濃度よりも濃く、前記第１記録レーザパワーは前記第３記録レーザパワーよりも大きな値を有し、前記第２記録レーザパワーは前記第１記録レーザパワーよりも大きな値を有することを特徴とする請求項１記載の光ディスク記録装置。
【請求項３】
前記照射部は、前記レーザ光を発光するレーザダイオードを含んでいることを特徴とし、
前記光ディスク記録装置は、前記レーザダイオードにドライブ信号を供給するレーザドライバを更に有することを特徴とする請求項１記載の光ディスク記録装置。
【請求項４】
前記制御部は、ジッタ値が許容値をとる範囲となるように、前記第２記録レーザパワー及び前記第３記録レーザパワーを決定することを特徴とする請求項１記載の光ディスク記録装置。
【請求項５】
前記制御部は、前記デジタルデータのみを前記光ディスクに記録する際の記録速度よりも記録速度を低く設定して、前記画像情報に応じた画像を前記光ディスクに記録することを特徴とする請求項１記載の光ディスク記録装置。
【請求項６】
前記制御部は、前記デジタルデータのみを前記光ディスクに記録する記録速度よりも記録速度を低く設定し、前記画像情報に応じた画像を前記光ディスクに記録する際に、記録速度を通常より低く設定したことを表示するための画像情報を生成することを特徴とする請求項５記載の光ディスク記録装置。
【請求項７】
与えられるラベルデータに応じて画像情報を生成し、
光ディスクにデジタルデータのみを記録する際は第１記録レーザパワーによって、
前記光ディスクにデジタルデータ及び前記生成部が生成した前記画像情報に応じた第１濃度の画像を記録する際は前記第１記録レーザパワーよりも大きな値の第２記録レーザパワーによって、
前記光ディスクにデジタルデータ及び前記第１濃度とは異なる第２濃度の前記画像情報に応じた画像を記録する際は前記第１記録レーザパワーよりも小さな値の第３記録レーザパワーによって、前記光ディスクに照射するためのレーザ光を発光させることを特徴とする光ディスク記録方法。
【発明の詳細な説明】
【技術分野】
【０００１】
この発明は、デジタルデータの記録と供に光ディスクの表面に文字・画像を描画する光ディスク記録装置及び光ディスク記録方法に関する。
【背景技術】
【０００２】
近年、記録媒体としての光ディスクの普及が非常に進み、その使用方法も多岐に渡っている。このような記録媒体としての光ディスクに関し、記録したコンテンツの内容についての記載を光ディスクの表面にラベルとして記録しておくことが、ユーザの光ディスクの管理に役立つことが知られている。このラベル印刷の技術として、以下のような開示された技術が存在する。
【０００３】
特許文献１は、ラベル位置における記録レーザパワーを、通常の領域の記録レーザパワーよりも下げたレーザを照射して、視覚的に異なって見えるように工夫する技術が開示されている。
【特許文献１】特開２００５−３３９７５号公報
【発明の開示】
【発明が解決しようとする課題】
【０００４】
特許文献１の従来技術では、光ディスクにデジタルデータを記録する際の記録レーザパワーよりも下げて、絵文字パターン等を光ディスク面に形成することが示されているだけである。しかし、この方法では、絵文字パターンの濃度差を十分大きくすることができないため、絵文字パターンは十分明晰なものとして表現できていないという問題がある。
【０００５】
本発明は、本来の光ディスクのデジタルデータの記録処理を安定して行ないながら、十分に濃淡のある画像パターンの記録を行なうことができる光ディスク記録装置及び光ディスク記録方法を提供することを目的とする。
【課題を解決するための手段】
【０００６】
課題を解決するための一実施形態として、
光ディスクに対してレーザ光を照射する照射部（ＰＵ）と、
与えられるラベルデータに応じて画像情報を生成する生成部（１２）と、
前記光ディスクにデジタルデータのみを記録する際は第１記録レーザパワー（Ｐｗ０）により、前記光ディスクにデジタルデータ及び前記生成部が生成した前記画像情報に応じた第１濃度の画像を記録する際は前記第１記録レーザパワー（Ｐｗ０）よりも大きな値の第２記録レーザパワー（Ｐｗ０＋α）により、前記光ディスクにデジタルデータ及び前記第１濃度とは異なる第２濃度の前記画像情報に応じた画像を記録する際は前記第１記録レーザパワー（Ｐｗ０）よりも小さな値の第３記録レーザパワー（Ｐｗ０−β）により、前記照射部からのレーザ光の発光量を制御する制御部（１０−１）と、
を具備することを特徴とする光ディスク記録装置である。
【発明の効果】
【０００７】
光ディスク記録装置において、記録レーザパワーのジッタ値を十分考慮した上で、絵文字パターンの記録レーザパワーの値を決めているので、本来のデジタルデータの記録を確実に行なう一方で、絵文字パターンの濃淡の差も十分に引き出すことができる。
【発明を実施するための最良の形態】
【０００８】
以下、この発明の実施の形態について図面を参照して詳細に説明する。
【０００９】
＜本発明の一実施形態に係る光ディスク記録装置の一例＞
以下、この発明の実施の形態である光ディスク記録装置（光ディスクドライバ）の構成及び動作について、図面を参照して詳細に説明する。図１は、本発明の一実施形態に係る光ディスクドライブ装置の構成の一例を示すブロック図である。
【００１０】
本発明の一実施形態に係る光ディスク記録装置１（光ディスクドライバ）は、一例として、図１に示すように、コンテンツデータやラベルデータを供給するＤＶＤレコーダ２１等に、例えば、ＡＴＡＰＩバスによって接続されており、ＤＶＤレコーダ２１等からのデータの書込み処理を行なう。
【００１１】
ここで、本発明の一実施形態に係る光ディスク記録装置１は、図１に示すように、レーザ光を照射する図示しない照射部であるレーザダイオードや、光学ピックアップＰＵを垂直方向や半径方向に駆動する図示しないアクチュエータをもっている光学ピックアップＰＵを有している。又、光ディスク記録装置１は、図１に示すように、光学ピックアップＰＵを半径方向に駆動するフィードモータＭ２と、ＤＶＤ（Digital Versatile Disc）等の光ディスクＤを所定回転数で回転させるスピンドルモータＭ１と、レーザダイオードに供給するドライブ信号を生成するレーザドライバ１１と、これら各モータやレーザドライバ１１等の動作を制御する制御部１０と、後述するレーザダイオードが出力するレーザを用いたラベル画像の記録処理を制御するラベル記録部１０−１と、ＤＶＤレコーダ２１からのラベルデータ等の文字・画像情報に応じた画像情報を生成する生成部１２を有している。又、ＡＴＡＰＩバスは、制御部１０に接続されており、ＤＶＤレコーダ２１からの要求を受け付け、データのやり取りを行う。
【００１２】
制御部１０は、光学ピックアップＰＵを用いて光ディスクＤに対して、デジタルデータの記録処理及び再生処理を制御する。又、制御部１０は、記録処理・再生処理を行う光ディスクＤの位置に従って、光ディスクＤが適切な回転数になるようにスピンドルモータＭ１を制御し、光学ピックアップＰＵが適切な位置になるようにフィードモータＭ２の動作を制御する。又、制御部１０は、更に、後述するように、光学ピックアップＰＵのレーザダイオードから照射されるレーザ光の記録レーザパワーを適正値に制御して、光ディスクＤのラベル面Ｆ１に文字・画像が表示されるように、画像を光ディスクＤ上に形成する。
【００１３】
＜本発明の一実施形態に係る光ディスク記録装置の画像形成処理＞
次に、上述した光ディスク記録装置１（光ディスクドライバ）の画像形成処理について、フローチャートを用いて、以下に詳細に説明する。なお、以下の図５乃至図７のフローチャートの各ステップは、回路ブロックに置き換えることができ、従って、各フローチャートのステップは、全てブロックに定義しなおすことが可能である。
【００１４】
（趣旨）
本発明の一実施形態に係る光ディスク記録装置１は、光ディスクの記録品位に影響を与えない範囲内において、可能となる記録レーザパワーとして、大きい値の記録レーザパワー（Ｐｗ０＋α）と小さい値の記録レーザパワー（Ｐｗ０−β）を用いて、デジタルデータの記録処理と、文字・画像等の画像形成処理とを同時に行なうものである。
【００１５】
従って、光ディスクの記録品位に影響を与えない範囲で慎重に、しかし、できるだけ記録レーザパワーの幅を大きく取っているため、文字・画像等の画像形成の濃淡を十分に出すことが可能となる。従って、デジタルデータの記録品位と、文字・画像等の明瞭な画像形成とを両立することが可能となる。
【００１６】
（文字・画像が記録される光ディスク）
次に、文字・画像が記録される光ディスクについて、図面を用いて説明する。図２は、本発明の一実施形態に係る光ディスクドライブ装置により文字・画像が記録された光ディスクの一例を示す説明図である。
【００１７】
光ディスクは、一方の面がラベル面、他方の面が情報記録面であるものと、両面が情報記録面であるものの２種類がある。図１には、一例として、一面がラベル面Ｆ１、他面が情報記録面Ｆ２の光ディスクＤを示している。しかし、特に本発明の一実施形態に係る光ディスクドライブ装置は、情報記録面にラベルが描画可能であるため、両面が情報記録面であるような光ディスクＤであっても、使用上差し支えないし、デジタルデータが両面に記録可能となるので記憶容量を大きく取ることも可能である。
【００１８】
すなわち、通常、情報記録面にはデジタルデータの記録を行い、ラベル面には文字や画像を表記するが、本発明に係る実施形態の光ディスク記録装置１では、記録レーザパワーの制御により、この情報記録面に、デジタルデータと文字・画像の同時記録を行うことができる。記録した文字・画像の領域を、非文字・画像の領域と比較して、記録レーザパワーの差をできるだけ大きくとることで、変調度に大きな差を発生させ、色の濃淡を強く出すことができる。これにより、文字や特定のマーク等が明確に可視することができる。
【００１９】
なお、文字・画像が記録された領域にもデジタルデータが記録されており、文字・画像が記録されていない領域に記録されたデジタルデータと同様に読み取ることができる。
【００２０】
（記録レーザパワーとジッタ値との関係）
次に、記録時に用いるレーザ光の記録レーザパワーとジッタ値との関係を図面を用いて説明する。図３は、本発明の一実施形態に係る光ディスクドライブ装置が記録する際の記録レーザパワーの一例を示すグラフである。図４は、本発明の一実施形態に係る光ディスクドライブ装置が記録する際の記録レーザパワーの具体的な一例を示すグラフである。
【００２１】
本発明に係る実施形態である光ディスク記録装置のレーザドライバ１１から光学ピックアップＰＵ上の照射部であるレーザダイオードに供給される記録レーザパワーは、デジタルデータを光ディスクＤの記録領域に記録させるために最適な値が存在しており、これは例えば、図３に示すＰｗ０である。
【００２２】
この記録レーザパワーの値を増加すると、図３に示すように、光ディスクＤからのレーザ光の光量が増加し、変調度は単調増加し、ジッタ（Jitter）は下に凸の放物線状となる。変調度が高いと光ディスクの情報記録面の色が濃く見える。又、ジッタは光ディスクの記録品位に大きく関わっており、ジッタの値が小さい方が記録品位がよくなる。デジタルデータを情報記録面に記録する際、通常、記録レーザパワーはジッタが最小（図４：一例として、約７％）となるような記録レーザパワーＰｗ０を使用する。
【００２３】
情報記録面にデジタルデータと文字・画像を同時記録する際には、文字・画像部と非文字・画像部で変調度に大きな差をつけ、色の濃淡を出すために、２種類の記録レーザパワーを使用する必要がある。
【００２４】
本発明に係る一実施形態においては、ジッタの値が最小となるような記録レーザパワーＰｗ０を中心に、一方の記録レーザパワー（例えば文字・画像の濃画像）をＰｗ０＋α、他方の記録レーザパワー（例えば文字・画像の淡画像をＰｗ０−β）というように設定する。これにより、図４に示すように、ジッタの増加を一例として、約９％以下（記録品位に影響を与えないとされる値）に抑えることができる。又、ジッタの値は、約１２％以下に抑制すべきことが、ＤＶＤ（Digital Versatile Disc）の規格上で求められている。
【００２５】
又、図３に示すような記録レーザパワー変化時の変調度とジッタの関係は、光ディスクの種類、製造メーカ、記録速度とにより異なっているため、制御部１０は、各々の光ディスクの種類、製造メーカ、記録速度等に応じて、記録レーザパワー（Ｐｗ０＋α）、（Ｐｗ０−β）の設定をしておく必要がある。ここで、これらの記録レーザパワーは、一例として、（Ｐｗ０＋α）＞（Ｐｗ０）＞（Ｐｗ０−β）の関係が成り立つ。又、この記録レーザパワー（Ｐｗ０＋α）、（Ｐｗ０−β）の設定の具体的な一例は、図４に示すように、Ｐｗ０＋約１０％、Ｐｗ０＋約１０％が上げられるがこれに限定されるものではない。
【００２６】
なお、一例として、記録レーザパワーＰｗを増加させると、光ディスク上に形成される画像は濃いものとなり、記録レーザパワーＰｗを減少させると、光ディスク上に形成される画像は淡いものとなる。しかし、この場合に限定されるものではなく、光ディスクの記憶領域に用いられる材料に応じて異なる場合も可能である。
【００２７】
（画像形成処理の具体的手順）
次に、光ディスク記録装置１（光ディスクドライバ）の具体的な画像形成処理の手順を図５等のフローチャートを用いて、以下に詳細に説明する。図５乃至図７は、本発明の一実施形態に係る光ディスクドライブ装置のデジタルデータ記録処理及び画像形成処理の一例を示すフローチャートである。
【００２８】
光ディスク記録装置１の制御部１０は、図５のフローチャートにおいて、初めに、光ディスクＤに対してデジタルデータの記録処理と文字・画像等の画像形成処理の両方を、例えば、ＤＶＤレコーダ２１等から命令されると、光学ピックアップＰＵにより、光ディスクＤの情報（光ディスクの種類、製造メーカ等、推薦する記録速度等）を読み取り、これらを検出する（ステップＳ１１）。次に、ＤＶＤレコーダ２１から与えられた記録すべきラベルデータ等の文字・画像情報から、画像形成すべき画像情報を生成する（ステップＳ１２）。これは、例えば、コンテンツが映画であれば、映画タイトル等である。
【００２９】
次に、光ディスク記録装置１の制御部１０のラベル記録部１０−１は、文字・画像情報に応じた画像を描画するべきディスク上の位置を決定する（ステップＳ１３）。次に、ラベル記録部１０−１は、この位置に基づいて、画像を描画すべきディスク上の物理セクタを求める（ステップＳ１４）。次に、制御部１０のラベル記録部１０−１は、例えば、ＤＶＤレコーダ２１から指定された記録速度を読み込む（ステップＳ１５）。
【００３０】
ここで、指定された記録速度とは異なる速度で記録を行なうことも好適である。すなわち、文字・画像に応じた画像を確実に描画するために、デジタルデータを記録する場合よりも遅い記録速度で記録を行なうことが好適である。
【００３１】
もし、制御部１０のラベル記録部１０−１が、指定された記録速度よりも遅い速度で記録を行なうと判断すると（ステップＳ１６）、指定した記録速度とは異なる速度をＤＶＤレコーダ２１や記憶領域等からサーチする（ステップＳ１７）。そして、制御部１０のラベル記録部１０−１は、指定した記録速度を、低速（高速も可）に変更する（ステップＳ１８）。
【００３２】
次に、制御部１０及びラベル記録部１０−１は、ＤＶＤレコーダ２１から命じられている処理が、デジタルデータのみの記録か、文字・画像を伴うデータ記録かを判断する（ステップＳ１９）。制御部１０及びラベル記録部１０−１が、ＤＶＤレコーダ２１から命じられている処理がデジタルデータのみの記録と判断すると、ステップＳ２０に進み、第１記録レーザパワー（Ｐｗ０）をレーザドライバ１１により供給させて、光ディスクＤにデータ記録のみを行なう（ステップＳ２０）。
【００３３】
制御部１０及びラベル記録部１０−１は、ＤＶＤレコーダ２１から命じられている処理が、文字・画像の画像形成処理を伴うデジタルデータ記録処理であり、高濃度の文字・画像の記録が求められていると判断すると、第２記録レーザパワー（Ｐｗ０＋約１０％）をレーザドライバ１１により供給させて、高濃度の文字・画像の記録とデータ記録を行なう（ステップＳ２１）。
【００３４】
制御部１０及びラベル記録部１０−１は、ＤＶＤレコーダ２１から命じられている処理が、文字・画像の画像形成処理を伴うデジタルデータ記録処理であり、低濃度の文字・画像の記録が求められていると判断すると、第３記録レーザパワー（Ｐｗ０−約１０％）をレーザドライバ１１により供給させて、低濃度の文字・画像の記録とデータ記録を行なう（ステップＳ２２）。
【００３５】
しかし、必ずしも高い記録レーザパワーにより濃い画像の画像形成が行われ、低い記録レーザパワーにより淡い画像の画像形成が行われる必要はない。例えば、光ディスクの記録領域の材料等に応じて、高い記録レーザパワーにより淡い画像の画像形成が行われ、低い記録レーザパワーにより濃い画像の画像形成が行われることも好適である。
【００３６】
制御部１０及びラベル記録部１０−１は、ＤＶＤレコーダ２１から命じられている処理に応じて、まだ全ての記録が終わっていないと判断すれば、ステップＳ１９に戻って同様の処理を繰り返す。制御部１０及びラベル記録部１０−１は、ＤＶＤレコーダ２１から命じられている処理に応じた全ての記録が終わったと判断すれば、処理を終了する（ステップＳ２３）。
【００３７】
以上のように、本発明に係る実施形態である光ディスク記録装置（光ディスクドライブ）は、光ディスクＤの情報記録面Ｆ２に対して、デジタルデータ及び文字・画像を同時記録する際に、記録レーザパワーを例えばジッタ値の変化を考慮した許容範囲において、高い記録レーザパワーと低い記録レーザパワーを用いて画像形成する。これにより、デジタルデータの記録品位低下を抑制しながら、変調度の変化分を大きく取ることで、明瞭に画像を可視化させることが可能となる。
【００３８】
従って、本来の光ディスクのデジタルデータの記録処理を安定して行ないながら、濃淡のある画像パターンの記録を行なうことが可能な光ディスク記録装置及び光ディスク記録方法を提供する。
【００３９】
なお、図６のフローチャートにおいては、ステップＳ２０’において、第1記録パワーがＰｗ０であり、ステップＳ２１’において、第２記録パワーがＰｗ０＋α（αは一例として約１０％）であり、ステップＳ２２’において、第３記録パワーがＰｗ０−β（βは一例として約１０％）であることが明確化されている。しかし、本発明に係る光ディスク記録装置１の実施形態は、これらの値に限定されるものではなく、値を適宜変更しても、同等の作用効果が得られることは言うまでもない。
【００４０】
更に、図７のフローチャートにおいては、ステップＳ３１において、制御部１０のラベル記録部１０−１が、指定された記録速度よりも遅い速度で記録を行なうと判断した場合、この旨を示す画像情報を生成する。
【００４１】
すなわち、制御部１０及びラベル記録部１０−１は、『現在、光ディスクのタイトルを描画中であり、通常よりも２倍の時間をかけてデータ記録中であり、１２分後に記録が終了予定です』等のメッセージを生成して、ＤＶＤレコーダ２１に供給する。ＤＶＤレコーダ２１は、この画像情報を映像信号に重畳する等により、図示しないＴＶ画面にこのメッセージが表示されることで、ユーザは、通常よりも時間をかけてデータ記録処理が行なわれていることを知ることができる。
【００４２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４３】
【図１】本発明の一実施形態に係る光ディスクドライブ装置の構成の一例を示すブロック図。
【図２】本発明の一実施形態に係る光ディスクドライブ装置により文字・画像が記録された光ディスクの一例を示す説明図。
【図３】本発明の一実施形態に係る光ディスクドライブ装置が記録する際の記録レーザパワーの一例を示すグラフ。
【図４】本発明の一実施形態に係る光ディスクドライブ装置が記録する際の記録レーザパワーの具体的な一例を示すグラフ。
【図５】本発明の一実施形態に係る光ディスクドライブ装置のデジタルデータ記録処理及び画像形成処理の一例を示すフローチャート。
【図６】本発明の一実施形態に係る光ディスクドライブ装置のデジタルデータ記録処理及び画像形成処理の他の一例を示すフローチャート。
【図７】本発明の一実施形態に係る光ディスクドライブ装置のデジタルデータ記録処理及び画像形成処理の他の一例を示すフローチャート。
【符号の説明】
【００４４】
１…光ディスクドライブ装置、Ｄ…光ディスク、ＰＵ…光学ピックアップ、Ｍ１…スピンドルモータ、Ｍ２…フィードモータ、１０…制御部、１０−１…ラベル記録部、１１…レーザドライバ。
【図１】
2009026404.tif 000003
【図２】
2009026404.tif 000004
【図３】
2009026404.tif 000005
【図４】
2009026404.tif 000006
【図５】
2009026404.tif 000007
【図６】
2009026404.tif 000008
【図７】
2009026404.tif 000009